(57)【要約】【課題】フラット回路体の端末部に形成した電極の損傷を防ぎ、かつ、電気的接続が不安定になることを防止することができるスライドガイド部材付きフラット回路体、および、フラット回路体とコネクタの接続構造を提供すること。【解決手段】フラット回路体１０の端末部１０ａをスライドガイド部材５０とともにコネクタハウジング３０内にスライドしながら挿入し、端末部１０ａの下面に形成した電極１１とコネクタハウジング３０内の端子４０とを接続した状態でフラット回路体１０をコネクタハウジング３０に固定するフラット回路体とコネクタの接続構造１００において、スライドガイド部材５０は、フラット回路体１０の先端１０ｂ側から折り返すように屈曲する折り返し屈曲壁部６５を有する。【選択図】図７
2017004860.tif 000002
【特許請求の範囲】
【請求項１】
フラット回路体の端末部に組み付けたスライドガイド部材とともに前記端末部をコネクタのコネクタハウジング内にスライドしながら挿入することによって前記端末部に形成した電極と前記コネクタハウジング内の端子に接続するスライドガイド部材付きフラット回路体において、
前記スライドガイド部材は、
前記端末部とともに前記コネクタハウジング内に挿入する部分であり、かつ、前記フラット回路体の先端側から折り返すように屈曲する折り返し屈曲壁部
を有することを特徴とするスライドガイド部材付きフラット回路体。
【請求項２】
フラット回路体の端末部に組み付けたスライドガイド部材とともに前記端末部をコネクタのコネクタハウジング内にスライドしながら挿入し、前記スライドガイド部材と前記コネクタハウジングとを固定することによって、前記端末部に形成した電極と前記コネクタハウジング内の端子とを接続した状態で前記フラット回路体を前記コネクタハウジングに固定するフラット回路体とコネクタの接続構造において、
前記スライドガイド部材は、
前記端末部とともに前記コネクタハウジング内に挿入する部分であり、かつ、前記フラット回路体の先端側から折り返すように屈曲する折り返し屈曲壁部
を有することを特徴とするフラット回路体とコネクタの接続構造。
【請求項３】
前記コネクタハウジングは、
前記コネクタハウジング内に前記端末部を挿入するための挿入空間を形成する挿入空間内壁面のうち、前記フラット回路体の上面側および下面側に対応する挿入空間内壁面を挿入口から内方にスライド移動方向沿って延びるように形成し、
前記折り返し屈曲壁部は、
前記スライドガイド部材が前記上面側および下面側に対応する挿入空間内壁面によってスライド移動方向にガイドされるようにスライド移動方向に沿った面であるスライド移動ガイド面を形成する
ことを特徴とする請求項２に記載のフラット回路体とコネクタの接続構造。
【請求項４】
前記コネクタハウジングは、
固定先に固定金具によって固定し、前記固定金具を間にして互いに逆方向に突出し、かつ、該コネクタハウジングの底面の一部を構成する少なくとも一対の回転防止リブを有する
ことを特徴とする請求項２または３に記載のフラット回路体とコネクタの接続構造。
【発明の詳細な説明】
【技術分野】
【０００１】
本発明は、フラット回路体の端末部に組み付けたスライドガイド部材とともに端末部をコネクタのコネクタハウジング内にスライドしながら挿入するスライドガイド部材付きフラット回路体、および、フラット回路体とコネクタの接続構造に関する。
【背景技術】
【０００２】
従来、フレキシブルプリント配線板（ＦＰＣ：Ｆｌｅｘｉｂｌｅ  Ｐｒｉｎｔｅｄ  Ｃｉｒｃｕｉｔ）、あるいは、フレキシブルフラットケーブル等のフラット回路体をコネクタに接続するフラット回路体とコネクタの接続構造としては、フラット回路体の端末部をコネクタのコネクタハウジング内にスライドしながら挿入することによってフラット回路体の端末部に形成した電極とコネクタハウジング内の端子とを接続するようにしている。
【０００３】
例えば、特許文献１のフラット回路体とコネクタの接続構造は、コネクタとのロック構造を有するスライダと称されるスライドガイド部材をフラット回路体の端末部に組み付けることによって、フラット回路体をコネクタへの挿入完了位置でコネクタに固定し、フラット回路体とコネクタとの電気的な接続状態を保持するようにしている。
【先行技術文献】
【特許文献】
【０００４】
【特許文献１】特開２０１１−１３４５８２号公報
【発明の概要】
【発明が解決しようとする課題】
【０００５】
しかしながら、特許文献１に記載されたフラット回路体とコネクタの接続構造は、コネクタハウジング内にフラット回路体の端末部を挿入する際、フラット回路体の端末部にコネクタハウジングの挿入口を形成する壁が接触すると、電極の剥離等の電極を損傷するおそれがあり、しかも、フラット回路体をコネクタハウジング内に挿入完了した後も、フラット回路体の端末部がたわんだ場合、電極と端子との電気的接続が不安定になってしまうという問題があった。
【０００６】
本発明は、上記に鑑みてなされたものであって、フラット回路体の端末部に形成した電極の損傷を防ぎ、かつ、電気的接続が不安定になることを防止することができるスライドガイド部材付きフラット回路体、および、フラット回路体とコネクタの接続構造を提供することを目的とする。
【課題を解決するための手段】
【０００７】
上述した課題を解決し、目的を達成するために、本発明の請求項１に係るスライドガイド部材付きフラット回路体は、フラット回路体の端末部に組み付けたスライドガイド部材とともに前記端末部をコネクタのコネクタハウジング内にスライドしながら挿入することによって前記端末部に形成した電極と前記コネクタハウジング内の端子に接続するスライドガイド部材付きフラット回路体において、前記スライドガイド部材が前記端末部とともに前記コネクタハウジング内に挿入する部分であり、かつ、前記フラット回路体の先端側から折り返すように屈曲する折り返し屈曲壁部を有することを特徴とする。
【０００８】
上述した課題を解決し、目的を達成するために、本発明の請求項２に係るフラット回路体とコネクタの接続構造は、フラット回路体の端末部に組み付けたスライドガイド部材とともに前記端末部をコネクタのコネクタハウジング内にスライドしながら挿入し、前記スライドガイド部材と前記コネクタハウジングとを固定することによって、前記端末部に形成した電極と前記コネクタハウジング内の端子とを接続した状態で前記フラット回路体を前記コネクタハウジングに固定するフラット回路体とコネクタの接続構造において、前記スライドガイド部材が前記端末部とともに前記コネクタハウジング内に挿入する部分であり、かつ、前記フラット回路体の先端側から折り返すように屈曲する折り返し屈曲壁部を有することを特徴とする。
【０００９】
また、本発明の請求項３に係るフラット回路体とコネクタの接続構造は、上記の発明において、前記コネクタハウジングが前記コネクタハウジング内に前記端末部を挿入するための挿入空間を形成する挿入空間内壁面のうち、前記フラット回路体の上面側および下面側に対応する挿入空間内壁面を挿入口から内方にスライド移動方向沿って延びるように形成し、前記折り返し屈曲壁部が前記スライドガイド部材が前記上面側および下面側に対応する挿入空間内壁面によってスライド移動方向にガイドされるようにスライド移動方向に沿った面であるスライド移動ガイド面を形成することを特徴とする。
【００１０】
また、本発明の請求項４に係るフラット回路体とコネクタの接続構造は、上記の発明において、前記コネクタハウジングが、固定先に固定金具によって固定し、前記固定金具を間にして互いに逆方向に突出し、かつ、該コネクタハウジングの底面の一部を構成する少なくとも一対の回転防止リブを有することを特徴とする。
【発明の効果】
【００１１】
本発明の請求項１に係るスライドガイド部材付きフラット回路体は、前記フラット回路体の先端が前記折り返し屈曲壁部によって、前面、上面、および、下面が保護されているため、前記フラット回路体の前記端末部を前記コネクタハウジングの挿入口から挿入する際、挿入口を形成する壁に前記フラット回路体の先端が接触せず、前記電極の剥離等の損傷を防ぐことができ、しかも、前記フラット回路体を前記コネクタハウジング内に挿入完了して前記電極と前記端子とを接続している状態で、前記折り返し屈曲壁部によって前記端末部がたわむことを阻止し、前記端末部がたわむことによる電気的接続の低下を防ぐことができるので、フラット回路体の端末部に形成した電極の損傷を防ぎ、かつ、電気的接続が不安定になることを防止することができる。
【００１２】
本発明の請求項２に係るフラット回路体とコネクタの接続構造は、前記フラット回路体の先端が前記折り返し屈曲壁部によって、前面、上面、および、下面が保護されているため、前記フラット回路体の前記端末部を前記コネクタハウジングの挿入口から挿入する際、挿入口を形成する壁に前記フラット回路体の先端が接触せず、前記電極の剥離等の損傷を防ぐことができ、しかも、前記フラット回路体を前記コネクタハウジング内に挿入完了して前記電極と前記端子とを接続している状態で、前記折り返し屈曲壁部によって前記端末部がたわむことを阻止し、前記端末部がたわむことによる電気的接続の低下を防ぐことができるので、フラット回路体の端末部に形成した電極の損傷を防ぎ、かつ、電気的接続が不安定になることを防止することができる。
【００１３】
本発明の請求項３に係るフラット回路体とコネクタの接続構造は、前記折り返し屈曲壁部の前記スライド移動ガイド面が前記上面側および下面側に対応する挿入空間内壁面によってスライド方向にガイドされることによって前記スライドガイド部材がスライド移動方向に姿勢を整えながら前記コネクタハウジングの内方に移動するので、前記スライドガイド部材の前記コネクタハウジング内へのスライド移動を容易にすることができる。
【００１４】
本発明の請求項４に係るフラット回路体とコネクタの接続構造は、前記一対の回転防止リブが、前記固定金具を間にして互いに逆方向に突出し、かつ、前記コネクタハウジングの底面の一部を構成することによって、前記固定金具を間にして前記コネクタハウジングの固定先への接地面積を拡大しているため、前記コネクタハウジングが前記固定金具を支点として回転しようとした場合、左右それぞれの回転方向に対して前記一対の回転防止リブのそれぞれの底面が回転を阻止するように固定先に当接するようになっているので、前記端子が固定先に半田付けされている場合であっても、前記コネクタハウジングの回転による前記端子への負荷によって半田が損傷することを防ぐことができ、結果的に、前記端子と固定先との電気的接続の低下を防止することができる。
【図面の簡単な説明】
【００１５】
【図１】図１は、本発明の実施例に係るフラット回路体とコネクタの接続構造の分解斜視図である。
【図２】図２は、電極と端子を接続完了した状態のフラット回路体およびコネクタの側面図である。
【図３】図３は、コネクタの斜視図である。
【図４】図４は、スライドガイド部材付きフラット回路体を斜め上方から視た斜視図である。
【図５】図５は、スライドガイド部材付きフラット回路体を斜め下方から見た斜視図である。
【図６】図６は、（ａ）がスライドガイド部材の断面図であり、（ｂ）がスライドガイド部材付きフラット回路体の断面図である。
【図７】図７は、フラット回路体の端末部をスライドガイド部材とともにコネクタハウジング内にスライドしながら挿入することによって端末部に形成した電極とコネクタハウジング内の端子とを接続する手順と各部の動作について説明するための図である。
【発明を実施するための形態】
【００１６】
以下、図面を参照して、本発明に係るスライドガイド部材付きフラット回路体、および、フラット回路体とコネクタの接続構造の好適な実施例を詳細に説明する。
【実施例】
【００１７】
図１は、本発明の実施例に係るフラット回路体とコネクタの接続構造１００の分解斜視図である。図２は、電極１１と端子４０を接続完了した状態のフラット回路体１０およびコネクタ２０の側面図である。図３は、コネクタ２０の斜視図である。図４は、スライドガイド部材付きフラット回路体１を斜め上方から視た斜視図である。図５は、スライドガイド部材付きフラット回路体１を斜め下方から見た斜視図である。図６は、（ａ）がスライドガイド部材５０の断面図であり、（ｂ）がスライドガイド部材付きフラット回路体１の断面図である。
本発明の実施例に係るフラット回路体とコネクタの接続構造１００は、フレキシブルプリント配線板あるいはフレキシブルフラットケーブル等のフラット回路体１０の端末部１０ａに組み付けたスライドガイド部材５０とともに端末部１０ａをコネクタ２０のコネクタハウジング３０内にスライドしながら挿入し、スライドガイド部材５０とコネクタハウジング３０とを固定することによって、端末部１０ａに形成した電極１１とコネクタハウジング３０内の端子４０とを接続した状態でフラット回路体１０をコネクタハウジング３０に固定するものである。
なお、スライドガイド部材付きフラット回路体１は、フラット回路体１０と、スライドガイド部材５０とを有してなる。
【００１８】
まず、フラット回路体１０について説明する。
フラット回路体１０は、例えば、フレキシブルプリント配線板によって実現する。このフラット回路体１０は、絶縁性樹脂シートの上に導電性の金属膜によって回路配線を形成し、この回路配線を保護するように絶縁樹脂性シートの表面を絶縁保護フィルムによって覆った平板状可撓性の回路基板である。
また、フラット回路体１０は、端末部１０ａの片面に回路配線として複数の電極１１を並べて形成し、絶縁保護フィルムの一部を除去することによって各電極１１の接続面を露出している。このようにして外部に露出した各電極１１がコネクタ２０に設けた各端子４０に接続するようになっている。
また、フラット回路体１０は、複数の電極１１が露出される側とは反対側の面に補強板１２を貼り付けている。この補強板１２は、フラット回路体１０の端末部１０ａに貼り付けることによって端末部１１ａを補強するものである。
さらに、フラット回路体１０は、端末部１０ａにフラット回路体１０を貫通する一対の係合孔１３、１３を形成している。この一対の係合孔１３、１３の各係合孔１３は、スライドガイド部材５０に設けた不図示の一対の係合突起のそれぞれに係合するようになっている。
【００１９】
次に、コネクタ２０について説明する。
コネクタ２０は、コネクタハウジング３０と、コネクタハウジング３０内に設けた複数の端子４０と、を有し、一対の固定金具９０によって回路基板２００等の固定先にコネクタハウジング３０を固定するようになっている。
【００２０】
コネクタハウジング３０は、合成樹脂等の絶縁性樹脂材からなり、外郭が略直方体形状をなす。
このコネクタハウジング３０は、複数の端子４０を内部に固定し、フラット回路体１０の端末部１０ａを挿入する挿入口３１からフラット回路体１０をコネクタハウジング３０内に挿入完了した位置で、スライドガイド部材５０と上面に設けたロック用突起３５を介して係合することによって各電極１１と各端子４０を接続した状態でフラット回路体１０を固定するようになっている。
【００２１】
また、コネクタハウジング３０は、挿入口３１からコネクタハウジング３０内に端末部１０ａを挿入するための挿入空間３２を内部に形成し、挿入空間３２に挿入した端末部１０ａの下方に複数の電極１１に対応した並びで複数の端子４０を固定するようになっている。
【００２２】
挿入空間３２は、挿入空間３２を形成する挿入空間内壁面３２ａのうち、フラット回路体１０の上面側および下面側に対応する挿入空間内壁面３２ａ、３２ａを挿入口３１から内方にスライド移動方向沿って延びるように形成している。
【００２３】
また、コネクタハウジング３０の長手方向両側部には、各固定金具９０を嵌め込んで固定する金具固定部３３を設けている。この金具固定部３３に固定した各固定金具９０を回路基板２００に固定することによって、コネクタハウジング３０を固定先となる回路基板２００に固定するようになっている。
【００２４】
また、コネクタハウジング３０の長手方向の各端部には、回路基板２００に対してコネクタハウジング３０が固定金具９０を支点として回転することを防止する一対の回転防止リブ３４、３４をそれぞれ設けている。
この一対の回転防止リブ３４、３４は、固定金具９０を間にして前方、および後方のそれぞれに突出するように設け、かつ、底面がコネクタハウジング３０の底面の一部を構成するようになっている。
すなわち、一対の回転防止リブ３４、３４は、固定金具９０を間にして互いに逆方向に突出し、かつ、コネクタハウジング３０の底面の一部を構成することによって、固定金具９０を間にして固定先となる回路基板２００への接地面積を拡大している。このため、コネクタハウジング３０が固定金具９０を支点として回転しようとした場合、左右それぞれの回転方向に対して一対の回転防止リブ３４、３４のそれぞれの底面が回転を阻止するように回路基板２００に当接するようになっている。
【００２５】
このような一対の回転防止リブ３４、３４は、図２中矢印Ｔに示すように、例えば、コネクタ２０に接続しているフラット回路体１０を上下方向に引っ張ることによって、固定金具９０を支点として回転する力がコネクタハウジング３０に作用した場合であっても、回転防止リブ３４の底面がコネクタハウジング３０の回転を防止し、結果的に、回路基板２００に半田付けした端子４０の半田が損傷することを防止している。
【００２６】
なお、この実施例では、コネクタハウジング３０の長手方向の各端部に前方、および後方のそれぞれに突出するように一対の回転防止リブ３４、３４を設けるものを例示したが、これに限らず、固定金具９０を間にして互いに逆方向に突出し、かつ、コネクタハウジング３０の底面の一部を構成する少なくとも一対の回転防止リブ３４、３４を設けるようにすればよい。
【００２７】
端子４０は、ピン状の金属部材を曲げ加工等を施すことによって所定形状に形成したものであり、コネクタハウジング３０に固定する部分となる固定部４０ａと、固定部４０ａに対して弾性的にたわむことによって電極１１に弾性復元力を利用した適当な接触荷重を負荷して接触する弾性接触部４０ｂと、を有する。
【００２８】
次に、スライドガイド部材５０について説明する。
スライドガイド部材５０は、合成樹脂等の絶縁性樹脂材からなり、外郭が略直方体形状をなし、フラット回路体１０の端末部１０ａに組み付ける部分となる回路体組付部６０と、コネクタハウジング３０のロック用突起３５に係合してスライドガイド部材５０をコネクタハウジング３０に固定する部分となる接続ロック部７０と、コネクタにスライドしながら挿入する際の取っ手部分となる操作用取手部８０と、を有する。
【００２９】
回路体組付部６０は、フラット回路体１０の一対の係合孔１３、１３に係合する不図示の一対の係合突起を形成し、フラット回路体１０を一対の係合突起によって位置決めしつつ上下から挟持するように固定する回路体固定部６１と、回路体固定部６１のフラット回路体１０に対して上側の面を挿入方向に向けて延在するように突出しフラット回路体１０の端末部１０ａとともにコネクタハウジング３０内に挿入する部分であるハウジング内挿入部６４と、を有する。
【００３０】
接続ロック部７０は、回路体組付部６０の上面に立設した支点部７１と、支点部７１の上部から前後方向に延びることによってシーソーのように支点部７１を支点として弾性的に可動する可動部７２と、を有する。
【００３１】
可動部７２は、前端側にコネクタハウジング３０のロック用突起３５と係合するロックアーム部７２ａを設け、後端側にロックアーム部７２ａのロック用突起３５との係合を解除するためのロック解除操作部７２ｂを設けている。
【００３２】
このような接続ロック部７０は、可動部７２が弾性的に中立な状態では、ロックアーム部７２ａがロック用突起３５と係合するように位置し、ロック解除操作部７２ｂを下方に押圧操作することによって、ロックアーム部７２ａがロック用突起３５との係合を解除できるようにその端部を上方に向けて傾けるようになっている。
【００３３】
ハウジング内挿入部６４は、端末部１０ａとともにコネクタハウジング３０内に挿入する部分であり、かつ、フラット回路体１０の先端側から折り返すように屈曲する折り返し屈曲壁部６５を有する。
この折り返し屈曲壁部６５は、フラット回路体１０の先端１０ｂ側から折り返すように屈曲することによって、先端１０ｂの前面、上面、および、下面を保護する壁６５ａ、６５ｂ、６５ｃを形成し、壁６５ｃによって端末部１０ａがたわむことを阻止するようになっている。
【００３４】
また、折り返し屈曲壁部６５は、スライドガイド部材５０が上面側および下面側に対応する挿入空間内壁面３２ａ、３２ａによってスライド移動方向にガイドされるようにスライド移動方向に沿った面であるスライド移動ガイド面６６ａ、６６ｃを形成する。
このスライド移動ガイド面６６ａ、６６ｃは、折り返し屈曲壁部６５のスライド方向に直交する方向の両端を形成する面であり、スライド移動方向に沿って直線的に形成している。
【００３５】
次に、図７を用いてフラット回路体１０の端末部１０ａをスライドガイド部材５０とともにコネクタハウジング３０内にスライドしながら挿入することによって端末部１０ａに形成した電極１１とコネクタハウジング３０内の端子４０とを接続する手順と各部の動作について説明する。
図７は、フラット回路体１０の端末部１０ａをスライドガイド部材５０とともにコネクタハウジング３０内にスライド移動しながら挿入することによって端末部１０ａに形成した電極１１とコネクタハウジング３０内の端子４０とを接続する手順と各部の動作について説明するための図である。
【００３６】
まず、作業者は、スライドガイド部材５０を用いてフラット回路体１０の端末部１０ａをハウジング内挿入部６４とともにコネクタハウジング３０の挿入口３１からコネクタハウジング３０内にスライド移動しながら挿入開始する（図７（ａ）参照）。このとき、フラット回路体１０の先端１０ｂは折り返し屈曲壁部６５によって、前面、上面、および、下面が保護されているため、挿入口３１を形成する壁に先端１０ｂが接触しない。
【００３７】
その後、作業者は、スライドガイド部材５０を用いてフラット回路体１０をさらに挿入完了位置に向けてスライド移動する（図７（ｂ）参照）。すると、折り返し屈曲壁部６５のスライド移動ガイド面６６ａ、６６ｃが上下の挿入空間内壁面３２ａ、３２ａによってスライド方向にガイドされることによってハウジング内挿入部６４がスライド移動方向に姿勢を整えながらコネクタハウジング３０の内方に移動する。
【００３８】
その後、作業者は、スライドガイド部材５０を用いてフラット回路体１０を挿入完了位置まで移動完了すると、ロックアーム部７２ａがロック用突起３５とが係合することによって、互いに対応する複数の電極１１と複数の端子４０とを接続した状態でフラット回路体１０とコネクタハウジング３０とが固定され、この作業を完了する（図７（ｃ）参照）。なお、折り返し屈曲壁部６５の壁６５ｃは、端末部１０ａがたわむことを阻止するようになっているので、フラット回路体１０は端末部１０ａをたわませることがない。
【００３９】
本発明の実施例に係るスライドガイド部材付きフラット回路体１は、フラット回路体１０の先端１０ｂが折り返し屈曲壁部６５によって、前面、上面、および、下面が保護されているため、フラット回路体１０の端末部１０ａをコネクタハウジング３０の挿入口３１から挿入する際、挿入口３１を形成する壁にフラット回路体１０の先端１０ｂが接触せず、電極１１の剥離等の損傷を防ぐことができ、しかも、フラット回路体１０をコネクタハウジング３０内に挿入完了して電極１１と端子４０とを接続している状態で、折り返し屈曲壁部６５の壁６５ｃによって端末部１０ａがたわむことを阻止し、端末部１０ａがたわむことによる電気的接続の低下を防ぐことができるので、フラット回路体１０の端末部１０ａに形成した電極１１の損傷を防ぎ、かつ、電気的接続が不安定になることを防止することができる。
【００４０】
また、本発明の実施例に係るフラット回路体とコネクタの接続構造１００は、フラット回路体１０の先端１０ｂが折り返し屈曲壁部６５によって、前面、上面、および、下面が保護されているため、フラット回路体１０の端末部１０ａをコネクタハウジング３０の挿入口３１から挿入する際、挿入口３１を形成する壁にフラット回路体１０の先端１０ｂが接触せず、電極１１の剥離等の損傷を防ぐことができ、しかも、フラット回路体１０をコネクタハウジング３０内に挿入完了して電極１１と端子４０とを接続している状態で、折り返し屈曲壁部６５の壁６５ｃによって端末部１０ａがたわむことを阻止し、端末部１０ａがたわむことによる電気的接続の低下を防ぐことができるので、フラット回路体１０の端末部１０ａに形成した電極１１の損傷を防ぎ、かつ、電気的接続が不安定になることを防止することができる。
【００４１】
また、本発明の実施例に係るフラット回路体とコネクタの接続構造１００は、折り返し屈曲壁部６５のスライド移動ガイド面６６ａ、６６ｃが上下の空間内壁面３２ａ、３２ａによってスライド方向にガイドされることによってスライドガイド部材５０がスライド移動方向に姿勢を整えながらコネクタハウジング３０の内方に移動するので、スライドガイド部材５０のコネクタハウジング３０内へのスライド移動を容易にすることができる。
【００４２】
また、本発明の実施例に係るフラット回路体とコネクタの接続構造１００は、一対の回転防止リブ３４、３４が、固定金具９０を間にして互いに逆方向に突出し、かつ、コネクタハウジング３０の底面の一部を構成することによって、固定金具９０を間にしてコネクタハウジング３０の固定先となる回路基板２００への接地面積を拡大しているため、コネクタハウジング３０が固定金具９０を支点として回転しようとした場合、左右それぞれの回転方向に対して一対の回転防止リブ３４、３４のそれぞれの底面が回転を阻止するように固定先に当接するようになっているので、端子４０が固定先となる回路基板２００に半田付けされている場合であっても、コネクタハウジング３０の回転による端子４０への負荷によって半田が損傷することを防ぐことができ、結果的に、端子４０と固定先との電気的接続の低下を防止することができる。
【００４３】
なお、本発明の実施例に係るスライドガイド部材付きフラット回路体１は、折り返し屈曲壁部６５にスライド移動ガイド面６６ａ、６６ｃを形成するものを例示したが、これに限らず、折り返し屈曲壁部６５は、端末部１０ａとともにコネクタハウジング３０内に挿入する部分であり、かつ、フラット回路体１０の先端側から折り返すように屈曲するようになっていればスライド移動ガイド面６６ａ、６６ｃを形成していなくてもよい。
【００４４】
また、本発明の実施例に係るフラット回路体とコネクタの接続構造１００は、スライドガイド部材５０を水平方向にスライド移動することによってコネクタハウジング３０内に挿入するものを例示したが、スライド移動方向はこれに限らない。例えば、スライドガイド部材５０を垂直方向にスライド移動することによってコネクタハウジング３０内に挿入するものであってもよい。
【００４５】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４６】
１      スライドガイド部材付きフラット回路体
１０    フラット回路体
１０ａ  端末部
１０ｂ  先端
１１    電極
１２    補強板
１３    係合孔
２０    コネクタ
３０    コネクタハウジング
３１    挿入口
３２    挿入空間
３２ａ  挿入空間内壁面
３３    金具固定部
３４    回転防止リブ
３５    ロック用突起
４０    端子
４０ａ  固定部
４０ｂ  弾性接触部
５０    スライドガイド部材
６０    回路体組付部
６１    回路体固定部
６４    ハウジング内挿入部
６５    折り返し屈曲壁部
６５ａ、６５ｂ、６５ｃ  壁
６６ａ、６６ｃ  スライド移動ガイド面
７０    接続ロック部
７１    支点部
７２    可動部
７２ａ  ロックアーム部
７２ｂ  ロック解除操作部
８０    操作用取手部
９０    固定金具
１００  フラット回路体とコネクタの接続構造
２００  回路基板（固定先）
【図１】
2017004860.tif 000003
【図２】
2017004860.tif 000004
【図３】
2017004860.tif 000005
【図４】
2017004860.tif 000006
【図５】
2017004860.tif 000007
【図６】
2017004860.tif 000008
【図７】
2017004860.tif 000009